(57)【特許請求の範囲】
【請求項１】
上下方向に延びる商品通路内にシュート板の上端部を支軸に回動自在に連結し、前記シュート板は前記商品通路内方向にバネ部材によって付勢されてなる自動販売機の商品収納装置において、前記バネ部材は前記支軸と前記シュート板にのみ係合し、前記商品通路を形成する側板には貫通孔が形成され、前記支軸は両方の端部を切欠いた円筒状であり、前記支軸の端部を前記貫通孔に挿入後に前記バネ部材が前記シュート板を付勢する方向とは逆方向に前記支軸を回転させることにより、前記支軸の端部を前記側板に固定でき、商品が収納される前の状態において前記支軸は前記バネ部材を介して前記シュート板から前記支軸の端部が前記貫通孔に嵌合支持する方向に力を受けていることを特徴とする自動販売機の商品収納装置。
【請求項２】
上端部の略中央部は切欠き部を形成しバネ部材が配置され、支軸には貫通穴を備え、前記切欠き部近傍には切起し部を形成し、前記バネ部材の一端部を前記貫通穴に挿通し、他端部を前記切起し部に挿通し係止したことを特徴とする請求項１に記載の自動販売機の商品収納装置。
【請求項３】
貫通孔は略半円状の貫通孔であり、支軸の端部を前記貫通孔に挿入後にバネ部材がシュート板を付勢する方向とは逆方向に前記支軸を回転させた場合に前記支軸の端部の切欠いた部分で前記貫通孔の縁の板厚を挟み込むように両方の前記端部を切欠いたことを特徴とする請求項１または２に記載の自動販売機の商品収納装置。
【請求項４】
切起し部はシュート板に２箇所並んで形成し、バネ部材の他端部を前記切起し部に挿通し係止したことを特徴とする請求項２に記載の自動販売機の商品収納装置。
【請求項５】
前記シュート板と前記バネ部材を前記支軸に挿通し、前記バネ部材を前記支軸と前記シュート板に形成した係合部に係合固定して組立部品として成形した後、前記収納装置を形成する側板に前記組立部品を取付けたことを特徴とする請求項１から４のいずれか一項に記載の自動販売機の商品収納装置。
【発明の詳細な説明】
【技術分野】
【０００１】
本発明は商品通路内方向に付勢されたシュート板を用いた自動販売機の商品収納装置に関するものである。
【背景技術】
【０００２】
従来、この種の自動販売機の商品収納装置で、商品通路内方向に付勢されたシュート板を備えた特許文献１のものがある。
【０００３】
従来の自動販売機の商品収納装置は、湾曲したシュート板が、自動販売機の本体と一体の一対の側板に固定された支軸に上部が枢着され下端が自由端をなしている。
【０００４】
そして複数のシュート板が凸側を外方に向けて互いに上下位置をずらして対向しかつ上下方向に配列されて蛇行状の商品案内路を形成して商品収納器を構成している。支軸にはねじりコイルばねが挿通され、コイルばねの両端からそれぞれ延在したフック部がシュート板の背部と、側板に固定されたばね係止軸とに当接させて、シュート板を通路内方に付勢している。
【０００５】
シュート板は商品が収納されると付勢に抗して回動してシュート板係止軸に係止される。動作としては、商品が上部から供給されると販売指令に基づいて商品搬出ホイールが作動して上記作動のように商品が搬出される。
【発明の開示】
【発明が解決しようとする課題】
【０００６】
しかしながら、上記従来の構成では、ねじりコイルばねは、一方のフック部がシュート板の背面に係止され、他方のフック部はばね係止軸に係止されているので、ばね係止軸を備えたことにより部品点数が多くなり、また組み付け作業も一連の流れでシュート板、コイルばね、支軸、側板を組立てなければならず時間がかかるという課題を有していた。
【０００７】
本発明は、上記従来の課題を解決するもので、ばね係止軸を不要にして、構造が簡単で作業性を向上させた自動販売機の商品収納装置を提供することを目的とする。
【課題を解決するための手段】
【０００８】
上記従来の課題を解決するために、本発明の自動販売機の商品収納装置は、シュート板を商品通路内方向に付勢するバネ部材が、支軸とシュート板にのみ係合し、前記商品通路を形成する側板には貫通孔が形成され、前記支軸は両方の端部を切欠いた円筒状であり、前記支軸の端部を前記貫通孔に挿入後に前記バネ部材が前記シュート板を付勢する方向とは逆方向に前記支軸を回転させることにより、前記支軸の端部を前記側板に固定でき、商品が収納される前の状態において前記支軸は前記バネ部材を介して前記シュート板から前記支軸の端部が前記貫通孔に嵌合支持する方向に力を受けているものである。
【０００９】
これにより、バネ係止軸が不要となり、シュート板を付勢させるのに特別な部材を取り付ける必要はなく、簡単な構造で構成できると共に組み付け作業を向上させることができる。
【００１０】
またシュート板の上端部で略中央部にバネ部材を配置することで、シュート板の動作をバランスよく可動させることができる。
【００１１】
また本発明の自動販売機の商品収納装置は、シュート板、シュート板を付勢するバネ部材、これらを回動固定する支軸をシュート体としてあらかじめ組立てることができるので製造工程をシュート体工程、シュート体を商品収納装置に組み込む組込み工程に分けることができるので簡素化することができる。
【発明の効果】
【００１２】
本発明の自動販売機の商品収納装置によれば、バネ係止軸を不要とするのでシュート板を付勢させるのに特別な部材を取り付ける必要はなく、簡単な構造で構成できると共に組み付け作業を向上させることができる。
【発明を実施するための最良の形態】
【００１３】
請求項１に記載の発明は、上下方向に延びる商品通路内にシュート板の上端部を支軸に回動自在に連結し、前記シュート板は前記商品通路内方向にバネ部材によって付勢されてなる自動販売機の商品収納装置において、前記バネ部材は前記支軸と前記シュート板にのみ係合し、前記商品通路を形成する側板には貫通孔が形成され、前記支軸は両方の端部を切欠いた円筒状であり、前記支軸の端部を前記貫通孔に挿入後に前記バネ部材が前記シュート板を付勢する方向とは逆方向に前記支軸を回転させることにより、前記支軸の端部を前記側板に固定でき、商品が収納される前の状態において前記支軸は前記バネ部材を介して前記シュート板から前記支軸の端部が前記貫通孔に嵌合支持する方向に力を受けていることを特徴としており、バネ係止軸が不要となり、シュート板を付勢させるのに特別な部材を取り付ける必要はなく、簡単な構造で構成できると共に組み付け作業を向上させることができる。
【００１４】
請求項２に記載の発明は、請求項１に記載の発明に、上端部の略中央部は切欠き部を形成しバネ部材が配置され、支軸には貫通穴を備え、前記切欠き部近傍には切起し部を形成し、前記バネ部材の一端部を前記貫通穴に挿通し、他端部を前記切起し部に挿通し係止したことにより、バネ部材の両端部の支持を支軸とは別のばね係止軸とシュート板の背面に押し当てて押圧することで、シュート板の付勢力を保つ構造にする必要がなく、支軸に形成した貫通穴とシュート板に形成した切越し部にバネ部材の両端部を挿通することで、シュート板に付勢力を与えることができる。
【００１５】
請求項３に記載の発明は、請求項１または２に記載の発明において、貫通孔は略半円状の貫通孔であり、支軸の端部を前記貫通孔に挿入後にバネ部材がシュート板を付勢する方向とは逆方向に前記支軸を回転させた場合に前記支軸の端部の切欠いた部分で前記貫通孔の縁の板厚を挟み込むように両方の前記端部を切欠いたものである。
【００１６】
請求項４に記載の発明は、請求項２に記載の発明に、切起し部はシュート板に２箇所並んで形成し、バネ部材の他端部を前記切起し部に挿通し係止したことにより、バネ部材の端部を２箇所の切越し部に挿通することでシュート板動作時のバネ部材の位置を固定することができ、シュート板への付勢力のバラツキを低減することができる。
【００１７】
請求項５に記載の発明は、請求項１から４のいずれかの発明において、前記シュート板と前記バネ部材を前記支軸に挿通し、前記バネ部材を前記支軸と前記シュート板に形成した係合部に係合固定して組立部品として成形した後、前記収納装置を形成する側板に前記組立部品を取付けたことにより、あらかじめ組立部品としてシュート体を形成した後、商品収納装置に組み込むので、製造工程を簡素化でき工数を低減できる。
【００１８】
以下、本発明の実施の形態について、図面を参照しながら説明する。なお、この実施の形態によって本発明が限定されるものではない。
【００１９】
（実施の形態１）
本発明の実施の形態１を図１から図３を参照して説明する。図１は本発明の実施の形態１における自動販売機の側断面図、図２は本発明の実施の形態１における自動販売機の商
品収納装置の部分斜視図、図３は図２の要部背面から見た分解斜視図、図４は図２の要部斜視図である。
【００２０】
図１から図３において、自動販売機１０の奥行き方向すなわち前後方向に商品収納装置１１を複数列設け、この商品収納装置１１の上部の収納口１１ａから缶、ビンあるいはペットボトル等の商品を横倒し姿勢で投入し、商品収納装置１１内を落下させて収納する。商品収納装置１１の下部に備えた商品搬出機構部１２によって、一個ずつ搬出され取出口１３に排出される。
【００２１】
商品収納装置１１内には金属部材で成型され湾曲したシュート板１４の上端部１４ａはカール状に成型され、円筒状に形成された支軸１５が上端部１４ａ内を貫通し、シュート板１４は支軸１５を軸に回動自在に軸支されている。下端部１４ｂは自由端をなしている。そして図２のように複数のシュート板１４が上下方向に配列されて蛇行状の商品通路１６を形成している。商品通路１６を形成する側板１７には支軸１５を貫通する貫通孔１７ａが形成されている。
【００２２】
シュート板１４の構造を説明すると、シュート板１４の左右幅方向で上端部１４ａの略中央部には切欠き部１４ｃが形成されている。切欠き部１４ｃの下部でシュート板１４の背面側に切越し部１４ｄが左右方向に隣り合せで並んで複数個形成されている。実施例の場合は切越し部１４ｄが２箇所形成されている。また切欠き部１４ｃの領域に位置する支軸１５には貫通穴１５ａが形成されている。
【００２３】
また切欠き部１４ｃにはシュート板１４を商品通路１６内方向に付勢させるバネ部材１８が支軸１５に挿通されている。バネ部材１８の両端部１８ａ、１８ｂで一端部１８ａは貫通穴１５ａに挿通され、他端部１８ｂは切越し部１４ｄに挿通し係止している。
【００２４】
また支軸１５の両端部には切欠いて成形した突起部１５ｂを備えており、図４のように側板１７に形成した貫通孔１７ａに突起部１５ｂを引っ掛けて固定し、支軸１５は側板１７に対して回転しないように固定される。具体的には貫通孔１７ａは略半円状の孔で、支軸１５の両端部は貫通孔１７ａに貫通するように形成され、貫通孔１７ａの板厚を突起部１５ｂで挟み込むことで固定される。
【００２５】
以上のように構成された商品収納装置１１のシュート板１４について、以下その動作と作用を説明する。
【００２６】
商品収納装置１１の上部の収納口１１ａから缶、ビンあるいはペットボトル等の商品を横倒し姿勢で投入し、商品収納装置１１内を落下させると、商品がシュート板１４に接触する。接触後、シュート板１４はバネ部材１８の付勢力に抗して下方へ回動する。バネ部材１８は両端部１８ａ、１８ｂをそれぞれ貫通穴１５ａ、切起し部１４ｄに挿通しているので、シュート板１４が支軸１５を中心に回動してもバネ部材１８によってシュート板１４に常に付勢力を与えるので、付属部品を係合させてシュート板１４に付勢力を与える必要がなく、簡単な構造で構成することができる。
【００２７】
次に図３より組み立て方法を説明すると、シュート板１４の切欠き部１４ｃ内にバネ部材１８を合わせて、支軸１５をシュート板１４の横方向から上端部１４ａとバネ部材１８内に挿通する。そしてバネ部材１８の一端部１８ａを貫通穴１５ａに挿通し、他端部１８ｂを切起し部１４ｄに挿通する。この一連の作業を各シュート板１４と支軸１５とバネ部材１８に対して行ってシュート板１４と支軸１５とバネ部材１８でシュート板１４の組立部品であるシュート体１９をあらかじめ作ることができる。そしてこのシュート体１９を水平に倒した側板１７の貫通孔１７ａに支軸１５の一端の突起部１５ｂを上方から取り付ける。そして一連の作業を各シュート体１９に対して行い、対応する側板１７を上方から取り付けることで商品収納装置１１が完成する。
【００２８】
缶商品が収納される前は、シュート体１９は商品通路１６内に向かってバネ部材１８によって付勢された状態を保っている。この時、支軸１５はバネ部材１８を介してシュート板１４を支持しているので、突起部１５ｂは貫通孔１７ａに嵌合支持する方向に力が加わる。また商品投入時でシュート板１４に商品が保持される時は、さらに支軸１５はバネ部材１８を介してシュート板１４を支持することになるので、突起部１５ｂは貫通孔１７ａに対して固定される方向に力が働く。また貫通孔１７ａは略半円状に形成されているので支軸１５の周り止めとなり、バネ部材１８の付勢力をシュート板１４に伝達することができる。したがって支軸１５の両端部を加工して側板１７に密着固定する必要がなく、作業効率を高めることができる。
【００２９】
したがって、あらかじめシュート体１９を完成させてから商品収納装置１１の側板１７に取り付けるので組立て作業を分けて行うことができ、作業工程を簡素でき、工数を低減することができる。
【００３０】
本実施例では湾曲したシュート板１４で説明したが平板状のシュート板でもよく、シュート板の断面形状は実施例に限られず同様の効果を得ることができる。
【産業上の利用可能性】
【００３１】
以上のように本発明にかかる飲料自動販売機は多種類の缶飲料やペット飲料の自動販売機に対応でき商品収納装置の品質を向上させた自動販売機を提供できる。
【図面の簡単な説明】
【００３２】
【図１】本発明の実施の形態１における自動販売機の側断面図
【図２】本発明の実施の形態１における自動販売機の商品収納装置の部分斜視図
【図３】図２の要部背面から見た分解斜視図
【図４】図２の要部斜視図
【符号の説明】
【００３３】
１０  自動販売機
１１  商品収納装置
１４  シュート板
１４ａ  上端部
１４ｃ  切欠き部
１４ｄ  切越し部
１５  支軸
１５ａ  貫通穴
１５ｂ  突起部
１６  商品通路
１７  側板
１８  バネ部材
【図１】
0005092271.tif 000002
【図２】
0005092271.tif 000003
【図３】
0005092271.tif 000004
【図４】
0005092271.tif 000005